(57)【要約】  【課題】  スライダーまたは操作体に設けた弾性脚部を有効的に弾性変形させ、簡易にウエスト調節が行えるウエスト調節具を提供する。  【解決手段】  調節突部１０を所定間隔で設けた調節ベルト１、調節ベルト１の挿通部１５を設けたスライダー２、挿通部１５に直交して可動し、調節突部１０と係脱できる係止突部３３を備えた操作体３とから形成し、スライダー２または操作体３に弾性脚部３２を突設し、他方に弾性脚部３２の先端を点接触で保持する保持部１７を設け、操作体３の押圧により弾性脚部３２に弾発力を発生させ、耐摩耗性、摺動性を考慮する必要がなく素材に制約を受けないウエスト調節具である。  【選択図】  図４
2005120530.tif 000002
【特許請求の範囲】
【請求項１】
調節突部１０を所定間隔で配設した調節ベルト１、調節ベルト１用の挿通部１５を横設し基板１２に取付部１８を配設したスライダー２、挿通部１５に対し直交する形で可動して調節突部１０と係脱可能な係止突部３３を備えた操作体３とから形成し、スライダー２と操作体３のいずれか一方に弾性脚部３２を突設し、他方に弾性脚部３２の先端保持用の保持部１７を配設し、操作体３をスライダー２に対し弾発可能に嵌挿してなることを特徴とするウエスト調節具。
【請求項２】
操作体３は平板で上側に頭部３１、該頭部３１の下端から挿入片３０を突設し、挿入片３０の両側に弾性脚部３２を内側へ向け、または外側へ向けて湾曲する形で形成し、スライダー２の底部１４に挿入片３０の挿入用の挿入部１６を設け、該挿入部１６の両側における内側または外側に保持部１７を立設して弾性脚部３２と対接可能に形成してなる請求項１記載のウエスト調節具。
【請求項３】
スライダー２と操作体３との正面対向面に抜脱阻止機構９を配設し、該抜脱阻止機構９はスライダー２の上側における操作体３の挿入孔２５に基板１２からフック部１９を突設し、操作体３の頭部３１からフック状舌片３４を裏側へ向けて突設し、フック部１９とフック状舌片３４とを係止可能に形成してなる請求項１記載のウエスト調節具。
【請求項４】
操作体３に弾性脚部３２を内側へ向けて湾曲する形に形成し、保持部１７は底部１４と底部１４から上方へ向かって立設する壁面２１とから形成し、挿入部１６は壁面２１と側壁２４とにより包囲する形に形成してなる請求項１記載のウエスト調節具。
【請求項５】
挿入片３０の両側に設けた弾性脚部３２の先端保持用の保持部１７は、スライダー２の挿入部１６の両側の底部１４に凹設した凹陥部２３から形成してなる請求項１記載のウエスト調節具。
【請求項６】
操作体３の挿入片３０の下面に２本の弾性脚部３２を先端が両側へ向けて突出する形に形成し、スライダー２の底部１４に挿入片３０と弾性脚部３２とを収容可能な収容部２８を設け、該収容部２８の外側壁面２１に保持部１７を形成してなる請求項１記載のウエスト調節具。
【請求項７】
スライダー２の底部１４に設けた挿入部１６の両側に弾性脚部３２を内側へ向けて湾曲する形で立設し、操作体３の挿入片３０の付根３６に保持部１７を形成してなる請求項１記載のウエスト調節具。
【請求項８】
操作体３の両側に設けた弾性脚部３２の先端保持用の保持部１７をスライダー２の底部１４から間隔を開けて上側に配設してなる請求項１記載のウエスト調節具。
【請求項９】
スライダー２の底部１４に設けた挿入部１６の両側における内側に保持部１７を設け、取付部１８を有する取付片２２を基板１２に延設してなる請求項１記載のウエスト調節具。
【請求項１０】
基板１２に設ける取付部１８は、縫着糸４０用の凹溝２６を設けた取付片２２を基板１２に延設してなる請求項１記載のウエスト調節具。
【発明の詳細な説明】
【技術分野】
【０００１】
この発明は、衣服たとえばベルトレスズボン、スカートなどにおけるウエストベルトの長さ調節が簡単にできる。一般にウエストアジャスターまたはベルトアジャスターと呼ばれるウエスト調節具に関するものである。
【背景技術】
【０００２】
従来、ウエスト調節具については数多くものが知られている。これらのウエスト調節具は例えば図１７に示すように部品点数が多くコスト高となり作製面を考えても面倒なところがあった。そこで部品点数を削減してコストダウンを図り、簡易に作製することができ、操作性のよいウエスト調節具が考えられた。このウエスト調節具は、図１８に示すように調節ベルト、スライダー、操作片、固定具から形成され、操作片の両側に弾性脚部を突設し、スライダーの底部分に設けた貫通孔の両隣に傾斜する斜面部を設けて弾性脚部を摺接させ、操作片をスライダーに対し進退できるように弾発力を具備させたウエスト調節具である。
【特許文献１】特開平９−２７３０１３号公報
【特許文献２】特開２００１−７３２１３号公報
【発明の開示】
【発明が解決しようとする課題】
【０００３】
前述の図１８に示したウエスト調節具は、スライダーに対し操作片を進退させるとき、操作片に弾発力を発生させるため、スライダーの底面に斜面部を形成し、この斜面部に操作片に設けた弾性脚部を摺接させて押圧することにより反発させ弾発力を発生させるので、弾性脚部と斜面部とは摺動的な面接触であるため、耐摩耗性および滑動性を考慮した素材を用いなければならないから、材料に制約を受けるのが難点である。
【０００４】
この発明は、上述の問題点を考慮して発明されたものであり、請求項１記載の発明はスライダーと操作体のいずれか一方に配する弾性脚部の先端を摺動的な面接触でなく固定的な点接触によって弾性脚部の先端を保持し、押圧操作の結果、弾性脚部のみを弾性変形させて弾発力を惹起させ、かつ使用素材に制約を受けることなく作製できるウエスト調節具を提供することが主たる目的である。
【０００５】
請求項２記載の発明は、請求項１記載の発明の目的に加え、操作体の押圧操作がきわめて簡易に行え、軽快な操作体の進退が実現でき、かつ弾性脚部の先端を確実に受け止めることができるウエスト調節具を提供することが目的である。
【０００６】
請求項３記載の発明は、請求項１記載の発明の目的に加え、スライダーと操作体とは簡単な機構によって操作体が抜脱するのを阻止できる機構を備え、常時はスライダーと操作体とを確実に係止し、組立て時には弾性変形ができるので組立てが容易であり、必要なときは係止を解除し操作体をスライダーから抜脱できる抜脱阻止機構を備えたウエスト調節具を提供することが目的である。
【０００７】
請求項４記載の発明は、請求項１記載の発明の目的に加え、スライダーは操作体の弾発脚部を底部と壁面とによる隅角部分で確実に捕捉して保持することができ、挿入片を円滑に作動させ有効に弾発機能が発揮できるウエスト調節具を提供することが目的である。
【０００８】
請求項５記載の発明は、請求項１記載の発明の目的に加え、操作体に設けた弾性脚部の先端保持用の保持部の形態を特定することにより、確実に点接触で保持できるウエスト調節具を提供することが目的である。
【０００９】
請求項６記載の発明は、請求項１記載の発明の目的に加え、操作体の挿入片の下面に弾性脚部を配し、スライダーの底部に挿入片と弾性脚部とを同一場所に収容して弾性脚部を保持し、操作体の可動を小さくできるウエスト調節具を提供することが目的である。
【００１０】
請求項７記載の発明は、請求項１記載の発明の目的に加え、スライダーに弾性脚部を配して弾性変形ができる形態に形成し、操作体の押圧操作が簡便にできるウエスト調節具を提供することが目的である。
【００１１】
請求項８記載の発明は、請求項１記載の発明の目的に加え、操作体の挿入片よりも短脚状の弾性脚部に適した形態のスライダーであり、操作体を安定した状態で押圧操作ができるウエスト調節具を提供することが目的である。
【００１２】
請求項９記載の発明は、請求項１記載の発明の目的に加え、スライダーの取付構造を特定してスライダーのウエストベルトへの取付けを簡易に行え、かつスライダーの作製が簡便にできるウエスト調節具を提供することが目的である。
【００１３】
請求項１０記載の発明は、請求項１記載の発明の目的に加え、スライダーの基板に延設する取付片はウエストベルトに簡単に縫着ができる形態に形成し、スライダーの取付の容易性を図ったウエスト調節具を提供することが目的である。
【課題を解決するための手段】
【００１４】
前記の目的を達成するため、この発明のうち請求項１記載の発明は、ウエスト調節具が調節ベルト１、スライダー２、操作体３から形成し、調節ベルト１は表面に所定間隔で調節突部１０を配設し、スライダー２は調節ベルト１を挿通できる挿通部１５を横方向に設け、基板１２にウエストベルト６へ取付けるための取付部１８を備え、操作体３は挿通部１５に対し直交する形で可動し、この可動によって調節突部１０と係脱可能な係止突部３３を備えたウエスト調節具において、スライダー２と操作体３のいずれか一方に弾性変形ができる弾性脚部３２を突設し、他方にこの弾性脚部３２の先端を保持できる保持部１７を配設し、操作体３をスライダー２に対し弾発可能に嵌挿できるウエスト調節具を主な構成とするものである。
【００１５】
請求項２記載の発明は、請求項１記載の発明の構成に加え、操作体３は平板で上側に頭部３１を設け、この頭部３１の下端から挿入片３０を突設し、挿入片３０の両側に弾性変形ができる弾性脚部３２を内側へ向け、または外側へ向けて湾曲する形で形成し、弾性脚部３２と対向するスライダー２の底部１４に挿入片３０が挿入することができる挿入部１６を設け、この挿入部１６の両側における内側、または外側に弾性脚部３２の先端を保持することができる保持部１７を立設して弾性脚部３２と対接できるように形成したウエスト調節具である。
【００１６】
請求項３記載の発明は、請求項１記載の発明の構成に加え、スライダー２と操作体３との正面対向面に抜脱阻止機構９を配設し、この抜脱阻止機構９は、スライダー２の上側に設けた操作体用の挿入孔２５に対して基板１２から前面へ突出するフック状のフック部１９を設け、操作体３は頭部３１からスライダー２の基板１２へ向けて突出するフック状舌片３４を設け、フック部１９とフック状舌片３４とが係止できるように形成したウエスト調節具である。
【００１７】
請求項４記載の発明は、請求項１記載の発明の構成に加え、操作体３に設置する弾性脚部３２を挿入片３０の両側に内側へ向けて湾曲する形状に形成し、スライダー２に設置する保持部１７は底部１４と底部１４から上方へ向けて立設する壁面２１とから形成し、スライダーの底部１４に設置する挿入片３０のための挿入部１６は壁面２１と側壁２４とによって包囲する形状に形成したウエスト調節具である。
【００１８】
請求項５記載の発明は、請求項１記載の発明の構成に加え、操作体３の挿入片３０の両側に設けた弾性脚部３２の先端を保持するための保持部１７は、スライダー２の挿入部１６の両側の底部１４に凹状の凹陥部２３を設けて保持部１７に形成したウエスト調節具である。
【００１９】
請求項６記載の発明は、請求項１記載の発明の構成に加え、操作体３の挿入片３０の下面に２本の弾性脚部３２を先端が両側へ向けて突出する形、すなわちハの字状に突出する形に形成し、スライダー２の底部１４に挿入片３０と弾性脚部３２の双方を収容できる凹状の収容部２８を設け、この収容部２８の外側の壁面２１を保持部１７として形成したウエスト調節具である。
【００２０】
請求項７記載の発明は、請求項１記載の発明の構成に加え、スライダー２の底部１４に設けた挿入片３０が挿入できる挿入部１６の両側に弾性変形ができる弾性脚部３２を内側へ向けて湾曲する形で立設し、スライダー２に挿入する操作体３の挿入片３０の付根３６に弾性脚部３２の先端を保持できる保持部１７を形成したウエスト調節具である。
【００２１】
請求項８記載の発明は、請求項１記載の発明の構成に加え、操作体３の両側に設けた弾性脚部３２の先端を保持するための保持部１７をスライダー２の底部１４から上方へ間隔を開けて中間部分に配設したウエスト調節具である。
【００２２】
請求項９記載の発明は、請求項１記載の発明の構成に加え、スライダー２の底部１４に挿入片３０が挿入できる挿入部１６を設け、この挿入部１６の両側の内側に保持部１７を設け、スライダー２の基板１２に取付部１８を有する取付片２２を延設したウエスト調節具である。
【００２３】
請求項１０記載の発明は、請求項１記載の発明の構成に加え、スライダー２の基板１２に設ける取付部１８は、縫着糸４０によって縫着できる凹溝２６を設けた取付片２２を基板１２に延設したウエスト調節具である。
【発明の効果】
【００２４】
この出願の発明の効果として、請求項１記載の発明は、ウエスト調節具は調節ベルト、スライダー、操作体とから形成し、スライダーと操作体のいずれか一方に弾性脚部を突設し、他方に弾性脚部の先端保持用の保持部を配設し、操作体をスライダーに対し弾発可能に嵌挿できることによって、弾性脚部の先端は固定的な点接触で弾発力を発生させるから、耐摩耗性および摺動性を考える必要がないので使用素材に制約を受けず作製できる効果がある。
【００２５】
請求項２記載の発明は、請求項１記載の発明の効果に加え、操作体は平板で上側に頭部、該頭部の下端から挿入片を突設し、挿入片の両側に弾性脚部を内側へ向け、または外側へ向けて湾曲する形で形成し、スライダーの底部に挿入片の挿入用の挿入部を設け、該挿入部の両側における内側または外側に保持部を立設して弾性脚部と対接可能に形成したことによって、弾性脚部の弾性変形が容易で操作体の押圧操作が円滑かつ簡易に行え、操作体の進退が軽快に行える効果がある。
【００２６】
請求項３記載の発明は、請求項１記載の発明の効果に加え、スライダーと操作体との正面対向面に抜脱阻止機構を配設し、該抜脱阻止機構は、スライダーの上側における操作体の挿入孔に基板からフック部を突設し、操作体の頭部からフック状舌片を裏側へ向けて突設し、フック部とフック状舌片とを係止可能に形成したことによって、スライダーと操作体とを簡単な係止機構を双方の正面対向面に設けたので、常時は簡単かつ確実に係止することができ、しかもスライダーと操作体との組立て時には、弾性変形が容易なため、組立てを円滑かつ迅速に行うことができる。そのうえ必要なときはフック形態であるから係止を容易に解除して操作体を抜脱することができる効果がある。
【００２７】
請求項４記載の発明は、請求項１記載の発明の効果に加え、操作体に弾性脚部を内側へ向けて湾曲する形に形成し、保持部は底部と底部から上方へ向かって立設する壁面とから形成し、挿入部は壁面と側壁とにより包囲する形に形成したことによって、操作体の弾性脚部を容易かつ確実に捕捉し保持することができ、しかも挿入片を円滑かつ確実に往復可動させることができる効果がある。
【００２８】
請求項５記載の発明は、請求項１記載の発明の効果に加え、挿入片の両側に設けた弾性脚部の先端保持用の保持部は、スライダーの挿入部の両側の底部に凹設した凹陥部から形成したことによって、弾性脚部の先端を容易かつ確実に点接触で保持でき、押圧操作により弾性脚部の弾性変形を容易かつ円滑に行える効果がある。
【００２９】
請求項６記載の発明は、請求項１記載の発明の効果に加え、操作体の挿入片の下面に２本の弾性脚部を先端が両側に向けて突出する形に形成し、スライダーの底部に挿入片と弾性脚部とを収容可能な収容部を設け、該収容部の外壁に保持部を形成したことによって、操作体の成形が容易であって、しかも操作体の作動範囲が小さくてすみ、従って小型の製品に適する効果がある。
【００３０】
請求項７記載の発明は、請求項１記載の発明の効果に加え、スライダーの底部に設けた挿入部の両側に弾性脚部を内側へ向けて湾曲する形で立設し、操作体の挿入片の付根に保持部を形成したことによって、スライダーの底部から弾性脚部を立設しているので、操作体の押圧操作が簡易に行える効果がある。
【００３１】
請求項８記載の発明は、請求項１記載の発明の効果に加え、操作体の両側に設けた弾性脚部の先端保持用の保持部をスライダーの底部から間隔を開けて上側に配設したことによって、短い弾性脚部の形態に適し、従って操作体を安定した状態で押圧操作ができる形態のウエスト調節具に形成することができる効果がある。
【００３２】
請求項９記載の発明は、請求項１記載の発明の効果に加え、スライダーの底部に設けた挿入部の両側における内側に保持部を設け、取付部を有する取付片を基板に延設したことによって、スライダーをウエストベルトへ取付けるのがきわめて簡易に行え、しかもスライダーの作製が簡便に行える効果がある。
【００３３】
請求項１０記載の発明は、請求項１記載の発明の効果に加え、基板に設ける取付部は、縫着糸用の凹溝を設けた取付片を基板に延設したことによって、スライダーをウエストベルトへ簡単に凹溝に沿って縫着することができ、取付作業がきわめて簡便に行える効果があるなど、この発明が奏する効果はきわめて顕著である。
【発明を実施するための最良の形態】
【００３４】
この発明におけるウエスト調節具は、調節ベルト１、スライダー２、操作体３から形成し、調節ベルト１は表面に所定間隔で調節突部１０を多数突設し、スライダー２は調節ベルト１を横方向に挿通できる挿通部１５を貫設し、スライダー２の基板１２は衣服のウエストベルト６へ取付けるための取付部１８を備え、操作体３はスライダー２の挿通部１５と直交する形で可動し、この可動によって調節突部１０と係脱できる係止突部３３を裏面へ突出する形で形成したウエスト調節具であって、スライダー２と操作体３のいずれか一方に弾性変形ができる弾性脚部３２を突設するとともに、他方にこの弾性脚部３２の先端を保持することができる保持部１７を配設し、操作体３をスライダー２に対し弾発可能に挿入孔２５から嵌挿し、スライダー２と操作体３の正面対向面に操作体３の抜脱を防ぐためのフック状の抜脱阻止機構９を備えたウエスト調節具である。
【００３５】
ウエスト調節具の調節ベルト１、スライダー２、操作体３は熱可塑性樹脂を用いて射出成形手段によって一体成形する。スライダー２はウエストベルト６へ取付けるためスライダー２の基板１２および前面の覆板１３に固定具４を取付けるための取付孔２０を設けて固定具４のビス３９を固定して取付けるか、または縫着糸４０によって基板１２をウエストベルト６に縫着するための凹溝２６を有する取付片２２を基板１２に延設する。また弾性脚部３２は挿入片３０の両側またはスライダー２の底部１４から内側へ向け、または外側へ向けて湾曲する形で形成し、あるいは挿入片３０の下面に２本の弾性脚部３２の先端間が拡開する形に形成して押圧操作によって弾発力を惹起し、スライダー２に対し操作体３を進退可能に形成し、調節突部１０と係止突部３３とを係止し、または脱却させてウエスト調節を行う。
【実施例１】
【００３６】
図１〜６に示す実施例１のウエスト調節具について説明すると、ウエスト調節具は図１に示すように、調節ベルト１、スライダー２、操作体３、固定具４の四部材から構成され、この四部材はベルトレスズボンなどにおけるウエストベルト６の端部に固定具４によって、操作体３を備えた状態のスライダー２を内側に取付け、ウエストベルト６上に細幅の共生地７の両端を取付け、共生地７の裏面に調節ベルト１を装着し、調節ベルト１にスライダー２を挿通し、操作体３を押圧してスライダー２を摺動させ、ウエストベルト６におけるウエスト回りの調整を行う。
【００３７】
ウエスト調節具における調節ベルト１、スライダー２、操作体３、固定具４は共にポリアミド、ポリアセタール、ポリプロピレン、ポリブチレンテレフタレートなどの熱可塑性樹脂を用いて射出成形加工または押出成形加工によって一体成形して形成する。調節ベルト１は長尺状のベルト帯であって、表面に所定の間隔で突出する調節突部１０を上下二段に設け、調節突部１０の形状は長方形あるいは縦長の六角形または両側が平行な適宜の形状に形成し、調節ベルト１の裏面は平坦で全体が可撓性を備え、ズボン、スカートなどのウエストベルト６の共生地７に取付ける。なお調節ベルト１の表面に形成する調節突部１０を一段のみに形成してウエスト調節具を小型化することもできる。
【００３８】
スライダー２は、全体が方形体で左右両側は開口して調節ベルト１が横方向に挿通できる空洞状の挿通部１５を設け、この挿通部１５と直交する形で上下部分に操作体３が挿入できる上側に挿入孔２５、下側に透孔または凹部の形態の挿入片３０が挿入できる挿入部１６を形成する。挿入孔２５および挿入部１６は図５に示すようにスライダー２の覆板１３側に偏った位置に設けるとともに、基板１２側に設けた挿通部１５に調節ベルト１を挿通する。
【００３９】
スライダー２の上側に設けた挿入孔２５は、図１に示すように基板１２側が一段と落ち込んだ切欠部２７を左右２個所すなわち操作体３の係止突部３３に合致する形で設け、後述する操作体３の係止突部３３が簡易に挿入できるように形成し、この切欠部２７間に覆板１３に向けて突出して操作体３のフック状舌片３４と係止できるフック状のフック部１９を突設する。下側の挿入部１６の両側には壁面２１を立設して弾性脚部３２の先端を簡易かつ確実に保持できる保持部１７を形成する。
【００４０】
スライダー２の覆板１３には中央縦方向に長方形の透孔２９を設け、この透孔２９の範囲内において透孔２９と対面する基板１２に固定具４のビス３９を固定するための取付孔２０を上下に２個設置することによってスライダー２の取付部１８を構成する。覆板１３に穿設した透孔２９は基板１２に設けた取付孔２０に挿入した固定具４のビス３９の先端を圧潰する加圧作業の便宜を図ったものである。
【００４１】
操作体３は、スライダー２の挿入孔２５に挿入できる大きさであり、操作体３は長方形の平板で上側に頭部３１を設け、この頭部３１の下端から長方形の挿入片３０を突設し、挿入片３０の中央縦方向にスライダー２の覆板１３に設けた透孔２９と同形の透孔３５を設ける。この透孔３５はスライダー２に操作体３を挿入してウエスト調節具を組立てた状態でウエストベルト６へスライダー２を取付ける場合に必要であり、スライダー２と操作体３とを別個の状態で供してスライダー２を最初にウエストベルト６へ取付ける場合は、スライダー２を取付けた後に操作体３をスライダー２に挿入する関係上透孔３５を必ずしも必要としない。
【００４２】
挿入片３０は両側端縁のスライダー２の基板１２と対面する面に調節ベルト１の調節突部１０と合致する係止突部３３を突設し、また頭部３１の下端で挿入片３０の両側に弾性変形ができる弾性脚部３２を先端が内側へ湾曲する形で突設し、弾性脚部３２の先端は図４に示すように、スライダー２の挿入部１６の両側に立設した壁面２１から形成された保持部１７に当接して固定されるように形成する。
【００４３】
操作体３の頭部３１には、図２、３に示すように挿入片３０に形成した係止突部３３側へ突出するフック状の係止部分を先端に備えたフック状舌片３４を設け、このフック状舌片３４は上側が頭部３１に連結し両側と下端は分離した倒コ字状の舌片から形成し、図５に示すようにスライダー２に操作体３を挿入したとき、挿入孔２５の中央縁部に設けたフック部１９と係止し、操作体３がスライダー２から抜脱するのを防ぐ抜脱阻止機構９を形成する。この抜脱阻止機構９は、スライダー２に操作体３を挿入して組み立てる際、フック状舌片３４が容易に弾性変形するので、組立てが簡単に行え、組み立てられた後は常にフック部１９とフック状舌片３４とが係止して操作体３の抜脱を阻止する。しかも必要なときは、フック状舌片３４を後退させることによって、掛止状態を解除させることができ、スライダー２から操作体３を抜き取ることができる。
【００４４】
このウエスト調節具の使用態様を説明すると、スライダー２に操作体３を嵌挿しセットされたウエスト調節具をベルトレスズボン、スカートなどの外側のウエストベルト６の端部裏面にスライダー２を取付けるが、ウエストベルト６の表面から固定具４のビス３９を刺通し、スライダー２の基板１２に設けた取付部１８としての取付孔２０にビス３９を挿入後、覆板１３の透孔２９および操作体３の透孔３５を利用して先端を加熱加圧して圧潰することによりスライダー２をウエストベルト６に取付ける。取付けたスライダー２に調節ベルト１と共生地７を挿通し、調節ベルト１の両端を内側のウエストベルト６上に縫着して使用する。
【００４５】
ウエスト調節具をスライダー２と操作体３とを分離個別の状態で供給されたとき、ウエストベルト６の表面へスライダー２を宛がって固定具４のビス３９を刺通し、スライダー２の基板１２に設けた取付部１８としての取付孔２０に挿入後、覆板１３の透孔２９を利用して先端を加熱加圧して圧潰してスライダー２を取付けた後、スライダー２の挿入孔２５から操作体３を嵌挿し、弾性脚部３２の先端を保持部１７に保持させるとともに、フック部１９とフック状舌片３４とを係止させて使用する。この際操作体３の挿入片３０には透孔３５を設ける必要はない。なおスライダー２をウエストベルト６に取付けるには、取付孔２０を利用して縫着固定することも可能である。
【００４６】
ウエストベルト６に取付けられたスライダー２は、図６に示すように操作体３の頭部３１を押圧すると、弾性脚部３２の先端は壁面２１を押圧するが、それ以上可動できないので弾性脚部３２から弾性変形をし、調節突部１０と係止突部３３との係止を解除し、操作体３を押圧したままスライダー２をウエストベルト６の左右に摺動させてウエスト回りの調節を行った後、操作体３の押圧を解放すると弾性脚部３２の弾発力により操作体３は押圧前の状態に復帰し、フック部１９とフック状舌片３４とが係止するとともに、調節突部１０と係止突部３３とが係止してウエスト回りの調節作業が完了する。
【実施例２】
【００４７】
図７に示す実施例２のウエスト調節具は、スライダー２の底部１４に設置する保持部１７と、操作体３に設置する弾性脚部３２との変形例を示すものであり、操作体３に設ける弾性脚部３２は頭部３１の下端中央から挿入片３０を突設し、この挿入片３０の両側に弾性脚部３２の先端が外側へ向けて湾曲する形状に形成する。一方スライダー２の底部１４の中央に挿入片３０が嵌挿できる透孔状の挿入部１６を設け、この挿入部１６の両側に凹状の凹陥部２３を設けることにより、凹陥部２３の外側の壁面２１が弾性脚部３２を保持できる保持部１７を形成する。この形態以外は実施例１の形態と全く同一形状である。
【実施例３】
【００４８】
図８に示す実施例３のウエスト調節具は、スライダー２の底部１４に設ける保持部１７の変形例を示すものであり、保持部１７は弾性脚部３２の先端が嵌入できる大きさのきわめて小形の凹陥部２３から形成し、弾性脚部３２の先端を保持部１７に嵌入して略固定的に保持する形態である。
【実施例４】
【００４９】
図９に示す実施例４のウエスト調節具は、スライダー２に設置する保持部１７と操作体３に設定する弾性脚部３２との変形例を示すものであり、スライダー２の底部１４に設ける保持部１７は、底部１４に設ける操作体３の挿入片３０が挿入される挿入部１６の上側へ間隔を開けて左右がＬ字状を呈し、基板１２側が直立状の側壁２４で囲み、左右のＬ字状部分の立設された壁面２１が弾性脚部３２の先端を保持できる保持部１７として形成する。一方操作体３に設置する弾性脚部３２は頭部３１の下端中央から挿入片３０を突設し、この挿入片３０の両側に弾性脚部３２を先端が内側へ向けて湾曲する形状に形成し、先端を保持部１７に当接させて保持する。弾性脚部３２は頭部３１に接する基部部分に中空状の長孔３７を設け、弾性脚部３２における弾性変形が容易にできるように形成したものである。
【実施例５】
【００５０】
図１０に示す実施例５のウエスト調節具は、スライダー２の底部１４に設置する保持部１７と、操作体３に設置する弾性脚部３２との変形例を示すものであり、操作体３に設ける弾性脚部３２は、挿入片３０の左右に設けるのでなく挿入片３０の下端中央に、挿入片３０の幅範囲内で所謂ハの字状に拡開する形状に形成する。一方スライダー２の底部１４に設ける挿入片３０が挿入する挿入部１６は、挿入片３０の幅と等しい凹状の挿入部１６を形成し、この凹状の挿入部１６に挿入片３０が挿入し、かつハの字状の弾性脚部３２も収容できる収容部２８を形成する。そして収容部２８の外側の壁面２１が弾性脚部３２の先端を保持できる保持部１７としての機能を有する。この形態のウエスト調節具は、操作体３の押圧ストロークが小さいタイプに適する。
【実施例６】
【００５１】
図１１に示す実施例６のウエスト調節具は、弾性脚部３２をスライダー２に設け、この弾性脚部３２は底部１４に設けた操作体３の挿入片３０が挿入する挿入部１６の両側の分厚い部分から上方へ向けて突設し、弾性脚部３２は先端が内側へ向けて湾曲する形状に形成する。一方操作体３は頭部３１の下面中央から下方へ向けて挿入片３０を突設し、挿入片３０の頭部３１との付根３６に弾性脚部３２の先端が保持できる保持部１７を形成し、スライダー２の挿入孔２５から操作体３を挿入し、弾性脚部３２の先端を挿入片３０の付根３６に当接させるとともに、フック部１９とフック状舌片３４とから形成された抜脱阻止機構９を係止させてスライダー２と操作体３とをセットしたものである。
【実施例７】
【００５２】
図１２，１３に示す実施例７のウエスト調節具は、スライダー２および操作体３の主要部分の構成は実施例１に示したスライダー２および操作体３と同一である。異なる構成はスライダー２をウエストベルト６へ取付けるのに固定具を使用することなく、スライダー２を縫着糸４０によって縫着して取付ける構成が異なる。従ってスライダー２の基板１２に取付孔２０による取付部１８および覆板１３に透孔２９を設ける必要はなく、また操作体３の挿入片３０の中央縦方向に透孔３５を設置する必要もない。
【００５３】
調節ベルト１は表面に所定間隔で調節突部１０を設け、スライダー２は上面に操作体３を挿入できる挿入孔２５を設け、この挿入孔２５の基板１２側に切欠部２７、その間にフック部１９を設ける。スライダー２の底部１４には操作体３の挿入片３０が嵌挿できる透孔状の挿入部１６を設け、挿入部１６の左右に壁面２１を立設して底部１４との間に保持部１７を形成し、また挿入部１６の基板１２側に側壁２４を壁面２１と同高に設けて基板１２との間に調節ベルト１をガイドできる挿通部１５を形成する。基板１２の左右には縫着糸４０のための凹溝２６を形成した取付片２２を一体に延設して、ウエストベルト６への縫着を可能にした取付部１８を設ける。なおスライダー２は縫製を容易にするため、材質をポリアミド樹脂を用いるのが好ましい。
【００５４】
操作体３は頭部３１の中央にフック状舌片３４を割設し、下端中央に挿入片３０を突設し、挿入片３０の両側に先端が内側へ向けて湾曲し弾性変形可能な弾性脚部３２を設け、挿入片３０の片面には調節ベルト１の調節突部１０と係脱できる係止突部３３を突設する。なお挿入片３０には透孔３５はなく勿論スライダー２の基板１２には取付孔２０および覆板１３には透孔２９は設けられていない。従ってこのタイプのウエスト調節具はスライダー２の挿通部１５および操作体３の横幅を小さく小型化することができ、そのためスライダー２をウエストベルト６へ容易に縫製による取付けができる。また縫製手段に代えてリベット締めで取付けてもよい。
【００５５】
図１４に示したウエスト調節具は、操作体３の弾性脚部３２の先端を保持する保持部１７に、挿入部１６における側壁２４をスライダー２の底部１４の端部まで延長して弾性脚部３２の先端を安定した状態で保持できるように形成した変形例である。
【実施例８】
【００５６】
図１５，１６に示す実施例８のウエスト調節具は、実施例７と異なる構成は、スライダー２に設置する保持部１７および操作体３の挿入片３０と弾性脚部３２に多少の相違がある。スライダー２は上面に操作体３を挿入できる挿入孔２５を設け、挿入孔２５の基板１２側の中央にフック部１９、その両側に切欠部２７を設け、スライダー２の下側は底部１４から上方へ間隔を開けて保持部１７を覆板１３の裏側に設けて挿入部１６を形成し、かつ底部１４にも挿入部１６を形成する。上段の挿入部１６は左右にＬ字形の保持部１７と基板１２側に側壁２４を配して包囲する形状に形成する。基板１２の両側には、縫着糸４０のための凹溝２６を設けた取付片２２を基板１２に一体的に延設し、この取付片２２がスライダー２の取付部１８を形成する。
【００５７】
操作体３は頭部３１の中央にフック状舌片３４を割設し、頭部３１の下端中央から平板状の挿入片３０を突設し、挿入片３０の両側に先端が内側へ湾曲する弾性脚部３２を弾性変形可能に形成し、挿入片３０の片面には調節ベルト１の調節突部１０と係脱できる係止突部３３を突設する。弾性脚部３２は挿入片３０よりも丈が短く形成し、安定した操作体３の押圧操作ができるように形成する。
【００５８】
なお、スライダーの基板に取付孔、覆板に透孔、そして挿入片に透孔を設けてウエストベルトにリベット締めで取付ける手段に代えて、取付部を有する取付片をスライダーの基板に延設して、ウエストベルトに取付ける手段を前記各実施例のウエスト調節具に適用することも可能である。
【産業上の利用可能性】
【００５９】
この発明のウエスト調節具の活用例として、衣服特にベルトレスズボン、スカートにおける外側のウエストベルトに固定具を使用してスライダーを取付け、または縫着糸を用いて取付け、内側のウエストベルトに共生地と共に調節ベルトの両端を取付け、調節ベルトにスライダーを挿通するとともに、操作体を挿入して押圧操作によってズボン、スカートのウエスト回りの長さ調節を行うベルトアジャスターとして利用する。
【図面の簡単な説明】
【００６０】
【図１】実施例１のウエスト調節具の分解斜視図である。
【図２】同上ウエスト調節具の操作体の正面図である。
【図３】同上ウエスト調節具の操作体の図２におけるＡ−Ａ断面図である。
【図４】同上ウエスト調節具の図５におけるＢ−Ｂ断面図である。
【図５】同上ウエスト調節具の図４におけるＣ−Ｃ断面図である。
【図６】同上ウエスト調節具の押圧使用状態を示す正面断面図である。
【図７】実施例２のウエスト調節具のスライダーと操作体の嵌挿状態を示す正面断面図である。
【図８】実施例３のウエスト調節具の要部の正面断面図である。
【図９】実施例４のウエスト調節具のスライダーと操作体の嵌挿状態を示す正面断面図である。
【図１０】実施例５のウエスト調節具のスライダーと操作体の嵌挿状態を示す正面断面図である。
【図１１】実施例６のウエスト調節具のスライダーと操作体の嵌挿状態を示す正面断面図である。
【図１２】実施例７のウエスト調節具の分解斜視図である。
【図１３】同上ウエスト調節具の縦断面図である。
【図１４】同上ウエスト調節具のスライダーの変形例を示す斜視図である。
【図１５】実施例８のウエスト調節具のスライダーと操作体の嵌挿状態を示す正面断面図である。
【図１６】同上ウエスト調節具の縦断面図である。
【図１７】公知のウエスト調節具の分解斜視図である。
【図１８】他の公知のウエスト調節具の分解斜視図である。
【符号の説明】
【００６１】
１            調節ベルト
２            スライダー
３            操作体
９            抜脱阻止機構
１０            調節突部
１２            基板
１４            底部
１５            挿通部
１６            挿入部
１７            保持部
１８            取付部
１９            フック部
２１            壁面
２２            取付片
２３            凹陥部
２４            側壁
２５            挿入孔
２６            凹溝
２８            収容部
３０            挿入片
３１            頭部
３２            弾性脚部
３３            係止突部
３４            フック状舌片
３６            付根
４０            縫着糸
【図１】
2005120530.tif 000003
【図２】
2005120530.tif 000004
【図３】
2005120530.tif 000005
【図４】
2005120530.tif 000006
【図５】
2005120530.tif 000007
【図６】
2005120530.tif 000008
【図７】
2005120530.tif 000009
【図８】
2005120530.tif 000010
【図９】
2005120530.tif 000011
【図１０】
2005120530.tif 000012
【図１１】
2005120530.tif 000013
【図１２】
2005120530.tif 000014
【図１３】
2005120530.tif 000015
【図１４】
2005120530.tif 000016
【図１５】
2005120530.tif 000017
【図１６】
2005120530.tif 000018
【図１７】
2005120530.tif 000019
【図１８】
2005120530.tif 000020